(57)【要約】【課題】本発明は、箱型レンズ装置からポータブルレンズ装置へのレンズ交換にかかる作業を短時間で行うことができるレンズ支持装置を提供する。【解決手段】箱型レンズ装置をレンズサポータ２０から取り外した後、レンズ支持部材４０をレンズサポータ２０に支持させる。この作業は、レンズサポータ２０のフック３２にレンズ支持部材４０のフック４８を係合させることにより行う。次に、ＥＮＧレンズ装置１２のバヨネットマウント２８をレンズ支持部材４０の開口部４６及びレンズサポータ２０の開口部２６を介してカメラ１４のマウント部３０に連結するとともに、レンズ支持部材４０のねじ５２をＥＮＧレンズ装置１２のナット５４に締結する。以上の動作によって箱型レンズ装置からＥＮＧレンズ装置１２への交換作業が終了する。したがって、レンズ支持部材４０を使用することにより、レンズサポータ２０を雲台１８から取り外す作業を行うことなくレンズ交換作業を実施できる。【選択図】  図２
2006330083.tif 000002
【特許請求の範囲】
【請求項１】
レンズサポータに設けられたレンズ係合部に係合されることによりレンズサポータに支持されるとともにレンズを支持するレンズ支持部が設けられたことを特徴とするレンズ支持装置。
【請求項２】
レンズとカメラとの間に配置されるとともにレンズ側に第１の係合部が設けられた第１の支持部材と、
前記第１の支持部材とレンズとの間に配置され、前記第１の支持部材の前記第１の係合部に係合される第２の係合部が設けられるとともに前記レンズを支持するレンズ支持部が設けられた第２の支持部材と、
からなることを特徴とするレンズ支持装置。
【請求項３】
前記第１の支持部材は、三脚に設置されるレンズサポータであることを特徴とする請求項２に記載のレンズ支持装置。
【発明の詳細な説明】
【技術分野】
【０００１】
本発明はレンズ支持装置に係り、特にレンズサポータを利用して大型重量物のポータブルレンズを支持するレンズ支持装置に関する。
【背景技術】
【０００２】
放送用テレビカメラに用いられるＥＦＰレンズ装置等の箱型レンズ装置は、小型のカメラに直接連結すると、その連結部であるマウント部が箱型レンズの重量により破損する虞があるため、特許文献１、２に開示されたレンズサポータを利用してカメラに連結するように構成されている。このレンズサポータには、箱型レンズ装置の後端部に設けられたフックが係合されるフックが設けられ、フック同士を係合させて箱型レンズ装置をレンズサポータに実質的に支持させることにより、箱型レンズ装置の重量がカメラにかからないようにしている。
【０００３】
ところで、箱型レンズ装置が連結されるカメラは、通常はＥＮＧレンズ等が取り付けられるポータブルカメラなので、箱型レンズ装置に代えて、同じくＥＮＧレンズ装置等のポータブルレンズ装置をカメラに連結して使用することがある。この場合、ポータブルレンズ装置は、箱型レンズ装置のようなフックが設けられていないため、ポータブルレンズ装置のマウント部（バヨネットマウント）をカメラのマウントに直接連結して使用している。
【０００４】
ところでポータブルレンズ装置であっても重量物のレンズ装置は、箱型レンズ装置と同様にマウント部が破損する虞があるため、この場合には、特許文献３に記載の如く、ポータブルレンズ装置の所定の位置にナットを設け、レンズサポータ又は他のレンズ支持部材に設けたねじを前記ナットに締結することにより、ポータブルレンズ装置をねじを介してレンズサポータ又は他のレンズ支持部材に支持させている。
【０００５】
図３は、ポータブルレンズ装置１を、レンズサポータ２とは異なるレンズ支持部材３に支持させた側面図が示されている。レンズ支持部材３は、三脚４の雲台５上に取り付けられ、このレンズ支持部材３上にレンズサポータ２が取り付けられている。レンズサポータ２の衝立板２Ａの右側にはポータブルカメラ６が設置され、衝立板２Ａの左側にはポータブルレンズ装置１が配置され、このポータブルレンズ装置１のナット７に、レンズ支持部材３のねじ８を締結することにより、ポータブルレンズ装置１がねじ８を介してレンズ支持部材３に支持されている。
【０００６】
なお、ポータブルレンズ装置１に代えて箱型レンズ装置（不図示）を使用する場合には、ポータブルレンズ装置１をポータブルカメラ６から取り外した後、衝立板２Ａのフック９に箱型レンズ装置のフックを係合させて衝立板２Ａに箱型レンズ装置を支持させる。
【特許文献１】特開平７−２２５４２４号公報
【特許文献２】特開平８−１２５８９６号公報
【特許文献３】特開２００３−２９５２８８号公報
【発明の開示】
【発明が解決しようとする課題】
【０００７】
しかしながら、図３に示したレンズ支持形態では、箱型レンズ装置からポータブルレンズ装置１に交換する度に、カメラ６及びレンズサポータ２を雲台５から取り外して雲台５にレンズ支持部材３を固定するとともに、レンズ支持部材３にレンズサポータ２及びカメラ６を固定する、という非常に時間と手間がかかる交換作業を強いられるという欠点があった。
【０００８】
本発明は、このような事情に鑑みてなされたもので、レンズ交換にかかる作業を短時間で行うことができるレンズ支持装置を提供することを目的とする。
【課題を解決するための手段】
【０００９】
請求項１に記載の発明は、前記目的を達成するために、レンズサポータに設けられたレンズ係合部に係合されることによりレンズサポータに支持されるとともにレンズを支持するレンズ支持部が設けられたことを特徴としている。
【００１０】
請求項１に記載のレンズ支持装置によれば、箱型レンズ装置からポータブルレンズ装置に交換する場合には、まず、箱型レンズ装置をレンズサポータから取り外す。次に、レンズ支持装置をレンズサポータのレンズ係合部に係合させてレンズサポータに支持させる。次いで、レンズ支持装置のレンズ支持部によってポータブルレンズ装置を支持する。これにより、レンズサポータを三脚等から取り外す作業を行うことなくレンズ交換作業を実施できるので、レンズ交換にかかる作業を短時間で行うことができる。
【００１１】
請求項２に記載の発明は、前記目的を達成するために、レンズとカメラとの間に配置されるとともにレンズ側に第１の係合部が設けられた第１の支持部材と、前記第１の支持部材とレンズとの間に配置され、前記第１の支持部材の前記第１の係合部に係合される第２の係合部が設けられるとともに前記レンズを支持するレンズ支持部が設けられた第２の支持部材と、からなることを特徴としている。
【００１２】
請求項２に記載の発明によれば、箱型レンズ装置を使用する場合には、第１の支持部材の第１の係合部に箱型レンズ装置の係合部を係合させる。これにより、箱型レンズ装置が使用形態となる。次に、箱型レンズ装置からポータブルレンズ装置に交換する場合には、まず、箱型レンズ装置を第１の支持部材から取り外す。次に、第２の支持部材の第２の係合部を、第１の支持部材の第１の係合部に係合させて第２の支持部材を第１の支持部材に支持させる。次いで、第２の支持部材のレンズ支持部によってポータブルレンズ装置を支持する。これにより、第１の支持部材を三脚等から取り外す作業を行うことなくレンズ交換作業を実施できるので、レンズ交換にかかる作業を短時間で行うことができる。
【００１３】
請求項３に記載の発明は、請求項２に記載の発明において、前記第１の支持部材は、三脚に設置されるレンズサポータであることを特徴としている。
【００１４】
請求項１に記載のレンズ支持装置は、レンズサポータを除いた構成を特徴とし、請求項２に記載のレンズ支持装置は、第１の支持部材と第２の支持部材とから構成されていることを特徴としている。また、請求項３に記載のレンズ支持装置は、請求項２に記載の第１の支持部材がレンズサポータであることを規定し、レンズサポータと第２の支持部材とから構成されることを特徴としている。
【発明の効果】
【００１５】
以上説明したように本発明に係るレンズ支持装置によれば、レンズサポータを三脚等から取り外す作業を行うことなくレンズ交換作業を実施できるので、レンズ交換にかかる作業を短時間で行うことができる。また、第１の支持部材を三脚等から取り外す作業を行うことなくレンズ交換作業を実施できるので、レンズ交換にかかる作業を短時間で行うことができる。
【発明を実施するための最良の形態】
【００１６】
以下添付図面に従って、本発明に係るレンズ支持装置の好ましい実施の形態について詳説する。
【００１７】
図１は、実施の形態に係るレンズ支持装置が適用されたテレビカメラ１０の側面図である。
【００１８】
同図に示すテレビカメラ１０は、ポータブルレンズ装置であるＥＮＧレンズ装置１２と、肩乗せ可能なポータブルカメラ１４とから構成され、三脚１６の上部に設置された雲台１８に、レンズサポータ（第１の支持部材）２０を介してパン方向及びチルト方向に移動自在に支持される。また、ＥＮＧレンズ装置１２は、高倍率で重量物のもが適用され、通常のバヨネットマウントのみの連結構造ではカメラ１４に対する支持強度が不足するため、実施の形態のレンズ支持部材（レンズ支持装置、第２の支持部材）４０を介してレンズサポータ２０に支持されている。このレンズ支持部材４０については後述する。なお、同図に示すＥＮＧレンズ装置１２は、構造を簡便に説明するために、通常取り付けられているドライブユニットを省略している。
【００１９】
レンズサポータ２０は、雲台１８上に設置される水平板２２と水平板２２に垂直方向に立設された衝立板２４とからなる。衝立板２４には図２の如く、円形の開口部２６が貫通形成され、この開口部２６を介してＥＮＧレンズ装置１２とカメラ１４とが連結される。なお、この連結はＥＮＧレンズ装置１２の後端に設けられたバヨネットマウント２８を、カメラ１４に設けられたマウント部３０（図１参照）に結合させることにより行われる。
【００２０】
また、衝立板２４のレンズ側取付面２４Ａの上部にはフック（第１の係合部）３２が水平方向に固着されている。このフック３２には、不図示の箱型レンズ装置の後端部に設けられたフックが係合される。また、この際、箱型レンズ装置の後端部に突設された位置決め用ピンをフック３２の中央部に形成されたノッチ３４に係合させることにより、レンズサポータ２０に対する箱型レンズ装置の位置が決められる。これにより、箱型レンズ装置がレンズサポータ２０に支持され、箱型レンズ装置の重量が箱型レンズ装置とカメラ１４との連結部にかからないようになっている。
【００２１】
ところで、実施の形態のテレビカメラ１０は、ＥＮＧレンズ装置１２を支持するためのレンズ支持部材４０が設けられている。
【００２２】
レンズ支持部材４０は、レンズサポータ２０の衝立板２４に着脱自在に取り付けられる垂直板４２と水平方向に張り出した水平板４４とによって構成されている。垂直板４２には、図２の如く円形の開口部４６が貫通形成され、この開口部４６とレンズサポータ２０側の開口部２６とを介してＥＮＧレンズ装置１２とカメラ１４とが連結される。
【００２３】
また、垂直板４２のレンズサポータ側取付面４２Ａの上部には、フック（第２の係合部）４８が水平方向に埋設されている。このフック４８の破線で示すテーパ面４８Ａを、レンズサポータ２０側のフック３２のテーパ面３２Ａに係合させることによりレンズ支持部材４０がレンズサポータ２０に支持される。また、この際、フック４８の中央部に突設された位置決め用ピン５０をフック３２のノッチ３４に係合させることにより、レンズサポータ２０に対するレンズ支持部材４０の位置が決められる。
【００２４】
更に、水平板４４の前端中央部には、ねじ５２が水平板４４の下面からねじ込まれて上面から突出されている。このねじ５２を、図１に示すＥＮＧレンズ装置１２のナット５４に締結することにより、ＥＮＧレンズ装置１２がねじ５２を介してレンズ支持部材４０に支持される。これにより、ＥＮＧレンズ装置１２の重量は、レンズ支持部材４０を介してレンズサポータ２０が受けることになり、ＥＮＧレンズ装置１２とカメラ１４との連結部にかからないようになっている。
【００２５】
次に、レンズ支持部材４０を使用したレンズの交換作業について説明する。
【００２６】
レンズサポータ２０に取り付けられている箱型レンズ装置からＥＮＧレンズ装置１２に交換する場合には、まず、箱型レンズ装置をレンズサポータ２０から取り外す。この作業は、レンズサポータ２０のフック３２から箱型レンズ装置のフックを取り外すことにより行う。
【００２７】
次に、レンズ支持部材４０を図１の如くレンズサポータ２０に支持させる。この作業は、レンズサポータ２０のフック３２に図２の如くレンズ支持部材４０のフック４８を係合させることにより行う。
【００２８】
次いで、ＥＮＧレンズ装置１２のバヨネットマウント２８をレンズ支持部材４０の開口部４６及びレンズサポータ２０の開口部２６を介してカメラ１４のマウント部３０に連結するとともに、レンズ支持部材４０のねじ５２をＥＮＧレンズ装置１２のナット５４に締結する。
【００２９】
以上の動作によって箱型レンズ装置からＥＮＧレンズ装置１２への交換作業が終了する。したがって、レンズ支持部材４０を使用することにより、レンズサポータ２０を雲台１８から取り外す作業を行うことなくレンズ交換作業を実施できるので、レンズ交換にかかる作業を短時間で行うことができる。
【００３０】
なお、ＥＮＧレンズ装置１２から箱型レンズ装置への交換作業は、上述した手順の逆の手順で行えばよい。
【図面の簡単な説明】
【００３１】
【図１】実施の形態のレンズ支持装置が適用されたテレビカメラの側面図
【図２】図１に示したＥＮＧレンズ装置とレンズサポータとレンズ支持部材の取付構造を示した説明図
【図３】従来のテレビカメラの側面図
【符号の説明】
【００３２】
１０…テレビカメラ、１２…ＥＮＧレンズ装置、１４…カメラ、１６…三脚、１８…雲台、２０…レンズサポータ（第１の支持部材）、２４…衝立板、３２…フック（第１の係合部）、４０…レンズ支持部材（レンズ支持装置、第２の支持部材）、４８…フック（第２の係合部）、５２…ねじ、５４…ナット
【図１】
2006330083.tif 000003
【図２】
2006330083.tif 000004
【図３】
2006330083.tif 000005